【手続補正書】
【提出日】平成17年7月11日(2005.7.11)
【手続補正１】
【補正対象書類名】明細書
【補正対象項目名】発明の名称
【補正方法】変更
【補正の内容】
【発明の名称】低反射型リミタ並びに低反射型リミタを用いた送受信モジュールおよびアクティブフェーズドアレーアンテナ
【手続補正２】
【補正対象書類名】明細書
【補正対象項目名】特許請求の範囲
【補正方法】変更
【補正の内容】
【特許請求の範囲】
【請求項１】
送信信号を増幅する第１増幅器と、受信信号を増幅する第２増幅器とを具備した送受信モジュールにおいて、前記第２増幅器の入力側に低反射型リミタを設けたことを特徴とする送受信モジュール。
【請求項２】
放射器から空間に放射される送信信号を増幅する第１増幅器と、前記放射器で受信された受信信号を増幅する第２増幅器とを具備した送受信モジュールにおいて、前記第２増幅器の入力側に低反射型リミタを設けたことを特徴とする送受信モジュール。
【請求項３】
送信信号を増幅する第１増幅器と、第１〜第３の端子を有し、その第１端子に前記送信信号が入力し、その第２端子に放射器が接続されたサーキュレータと、このサーキュレータの第３端子に接続され、前記放射器で受信された受信信号を増幅する第２増幅器とを具備した送受信モジュールにおいて、前記サーキュレータと前記第２増幅器との間に低反射型リミタを設けたことを特徴とする送受信モジュール。
【請求項４】
低反射型リミタが、直列に接続されたリミタダイオードおよび抵抗を有する請求項１ないし請求項３のいずれか１つに記載の送受信モジュール。
【請求項５】
低反射型リミタが、リミタダイオードおよび抵抗が直列に接続された複数の直列接続回路と、この複数の直列接続回路間に接続された１／４波長線路とを有する請求項１ないし請求項３のいずれか１つに記載の送受信モジュール。
【請求項６】
低反射型リミタが、第１〜第４の端子を有し、その第１端子に受信信号が入力し、その第２端子に終端抵抗が接続され、その第３端子に第１リミタダイオードが接続され、その第４端子に第２リミタダイオードが接続された第１方向性結合器を有する請求項１ないし請求項３のいずれか１つに記載の送受信モジュール。
【請求項７】
第１〜第４の端子を有し、その第１端子が第１リミタダイオードに接続し、その第２端子が第２リミタダイオードに接続し、その第３端子が第２増幅器に接続し、その第４端子に終端抵抗が接続された第２方向性結合器を設けた請求項６記載の送受信モジュール。
【請求項８】
送信信号を増幅する第１増幅器と、第１〜第３の端子を有し、その第１端子に前記送信信号が入力し、その第２端子に放射器が接続され、その第３端子に前記放射器で受信された受信信号が出力するサーキュレータと、第１〜第４の端子を有し、その第１端子に前記サーキュレータの第３端子が接続され、その第２端子に終端抵抗が接続され、その第３端子に第１リミタダイオードが接続され、その第４端子に第２リミタダイオードが接続された第１方向性結合器と、前記第１リミタダイオードに接続され前記受信信号を増幅する第２増幅器と、前記第２リミタダイオードに接続され前記受信信号を増幅する第３増幅器と、第１〜第４の端子を有し、その第１端子が前記第２増幅器に接続し、その第２端子が前記第３増幅器に接続し、その第３端子に前記第２増幅器および前記第３増幅器で増幅された信号が合成されて出力し、その第４端子に終端抵抗が接続された第２方向性結合器とを具備したことを特徴とする送受信モジュール。
【請求項９】
リミタダイオードと、このリミタダイオードに一端が接続され、他端が接地された抵抗とを具備したことを特徴とする低反射型リミタ。
【請求項１０】
リミタダイオードおよび一端が接地された抵抗が直列に接続された複数の直列接続回路と、この複数の直列接続回路間に接続された１／４波長線路とを具備したことを特徴とする低反射型リミタ。
【請求項１１】
信号が入力する第１端子を含み第１〜第４の端子を有する方向性結合器と、この方向性結合器の第２端子に接続された終端抵抗と、その第３端子に接続された第１リミタダイオードと、その第４端子に接続された第２リミタダイオードとを具備したことを特徴とする低反射型リミタ。
【請求項１２】
請求項１ないし請求項８のいずれか１つに記載の送受信モジュールを複数有するアクティブフェーズドアレーアンテナ。
【手続補正３】
【補正対象書類名】明細書
【補正対象項目名】０００１
【補正方法】変更
【補正の内容】
【０００１】
【発明の属する技術分野】
本発明はアクティブフェーズドアレーアンテナなどに使用される低反射型リミタ並びにこれを用いた送受信モジュールおよびアクティブフェーズドアレーアンテナに関する。
【手続補正４】
【補正対象書類名】明細書
【補正対象項目名】００２５
【補正方法】変更
【補正の内容】
【００２５】
本発明は、上記した欠点を解決し、送受信モジュールの小型化や低価格化が容易な低反射型リミタ並びにこの低反射型リミタを用いた送受信モジュールおよびアクティブフェーズドアレーアンテナを提供することを目的とする。
【手続補正５】
【補正対象書類名】明細書
【補正対象項目名】００４４
【補正方法】変更
【補正の内容】
【００４４】
この実施形態は、低反射型リミタ１６が第１方向性結合器３１などから構成されている。第１方向性結合器３１は、たとえば第１〜第４の４個の端子３１１〜３１４を有し、第１端子３１１から入力した信号が第３端子３１３および第４端子３１４に等分され、９０°の位相差で出力する構成になっている。
【手続補正６】
【補正対象書類名】明細書
【補正対象項目名】００４６
【補正方法】変更
【補正の内容】
【００４６】
第１リミタダイオードＤ３は第２方向性結合器３２の第１端子３２１に接続され、第２リミタダイオードＤ４は第２方向性結合器３２の第２端子３２２に接続されている。第２方向性結合器３２の第３端子３２３は低雑音増幅器１７に接続され、第４端子３２４は終端抵抗Ｒ４に接続されている。第２方向性結合器３２は、第１方向性結合器３１と同様、第１端子３２１から入力した信号が第３端子３２３および第４端子３２４に等分され、９０°の位相差で出力する構成になっている。
【手続補正７】
【補正対象書類名】明細書
【補正対象項目名】００４７
【補正方法】変更
【補正の内容】
【００４７】
上記した構成の場合、受信信号は第１方向性結合器３１の第３端子３１３および第４端子３１４に２分して出力される。それぞれの出力は第１、第２のリミタダイオードＤ３、Ｄ４を経て、第２方向性結合器３２の第３端子３２３に合成されて出力し、受信信号用の低雑音増幅器１７で電力増幅される。
【手続補正８】
【補正対象書類名】明細書
【補正対象項目名】００４８
【補正方法】変更
【補正の内容】
【００４８】
上記した構成において、第１方向性結合器３１の第１端子３１１に不要反射成分が入力すると、不要反射成分は、第３端子３１３および第４端子３１４に出力し、第１および第２のリミタダイオードＤ３、Ｄ４で電力振幅が制限される。したがって、低反射型リミタ１６を漏れ出て低雑音増幅器１７へ入力する電力振幅は小さくなり、低雑音増幅器１７が保護される。
【手続補正９】
【補正対象書類名】明細書
【補正対象項目名】００４９
【補正方法】変更
【補正の内容】
【００４９】
この場合、低反射型リミタ１６から低雑音増幅器１７側へ漏れ出ない残りのほとんどの不要反射成分は、第１および第２のリミタダイオードＤ３、Ｄ４で反射される。しかし、この反射成分は第１方向性結合器３１に接続された終端抵抗Ｒ３で熱に変換される。その結果、低反射型リミタ１６からサーキュレータ１４方向に向う不要反射成分はほぼゼロの低反射となり、電力増幅器１３の出力側に入力する不要反射成分も抑制される。
【手続補正１０】
【補正対象書類名】明細書
【補正対象項目名】００５５
【補正方法】変更
【補正の内容】
【００５５】
また、不要反射成分は第１および第２のリミタダイオードＤ３、Ｄ４で電力振幅が制限される。したがって、第１および第２のリミタダイオードＤ３、Ｄ４を漏れ出て低雑音増幅器４１、４２へ入力する電力振幅が抑えられ、低雑音増幅器４１、４２が保護される。
【手続補正１１】
【補正対象書類名】明細書
【補正対象項目名】００５６
【補正方法】変更
【補正の内容】
【００５６】
また、低雑音増幅器４１、４２へ漏れ出ない残りのほとんどの不要反射成分は、第１および第２のリミタダイオードＤ３、Ｄ４によって反射され、第１方向性結合器３１に接続された終端抵抗Ｒ３で熱に変換される。したがって、低反射型リミタ１６からサーキュレータ１４方向に向う不要反射成分はほぼゼロの低反射となり、電力増幅器１３の出力側に入力する不要反射成分も抑制される。
【手続補正１２】
【補正対象書類名】明細書
【補正対象項目名】００６０
【補正方法】変更
【補正の内容】
【００６０】
【発明の効果】
本発明によれば、小型化や軽量化が容易な低反射型リミタ並びに低反射型リミタを用いた送受信モジュールおよびアクティブフェーズドアレーアンテナを実現できる。